(57)【特許請求の範囲】
【請求項１】
床面に固定した左右一対の支柱上に固定した横長の机天板を、前後に適宜隔てて平行状に配置し、且つ前記前後の机天板の間の空間に配置される椅子は、その脚体が床面に固定されたものであって、
前記各支柱は、側面視において、机天板寄り部位で前側となり、床面に行くに従って後側となるように、下向き後傾状に立設され、前記床面に固定される前記各支柱の下端ベース部は、机天板の後端縁から垂下する面よりも前方に配置され、
前記各椅子の座体は前記脚体に取付けられた座受けブロック体に対して少なくとも前後移動可能であって、後方向に弾力付勢されており、
前記各椅子の座体とその後部の背凭体とは、その前後方向の傾動姿勢を変えることなく、前記座受けブロック体に対して前後移動可能に連結されていることを特徴とする講義室用の机と椅子との組合せ構造。
【請求項２】
前記少なくとも一方の支柱の側面には、前記机天板上のコンセント部に接続する配線を案内するための縦長の縦配線ダクトを設け、該縦配線ダクトに対してカバー部を開閉自在に設けたことを特徴とする請求項１に記載の講義室用の机と椅子との組合せ構造。
【発明の詳細な説明】
【０００１】
【発明の属する技術分野】
本発明は、主として大学等における講義室用の机と椅子との組合せの構造に関するものである。
【０００２】
【従来の技術】
この種の講義室用の机と椅子との組合せの配置構造は、講義室内にて、床面に固定した支柱上に固定した机天板は前後に適宜隔てて平行状に配置され、且つ前記前後の机天板の間の空間に配置される椅子はその脚体が床面に固定されたものが多い。そして、１つの机天板（長机）に３人乃至５人程度の人（学生）が並んで講義を受けることができるようになっていることと、前記前後の机天板の配置の間隔が定まっており、且つその前後間隔距離が余り大きくないため、机の両端側の椅子の背凭が後ろの机天板の前端縁に接近していると、机の中央側に入りずらい、また逆に中央側の椅子から机の端部に出ずらいという問題があった。
【０００３】
この問題を解消するため、例えば、特許第２９２７７１２号公報に示すように、前記前後の机天板の配置間の空間に配置された椅子の下端が床面に固定されている場合に、背凭の取り付けられた主脚体の基端を床面に対して前後回動可能に枢着し、該主脚体には、座体の下面前部を支持する座支柱と、座体の下面後部を支持して前記主脚体を前向きに回動したとき当該座体が略垂直に折り畳みできる規制体とを回動可能に連結したものが開示されている。
【０００４】
この構成によれば、前記主脚体を後向きに回動すると、座体が略水平となって人が座れる一方、前記主脚体を前向きに回動すると、背凭と座体とが略垂直状に折り畳まれたまま前の机天板の後縁に接近するので、この椅子と後側の机天板の前縁との空間が広くなって、人の出入りがし易くなるというものであった。
【０００５】
【発明が解決しようとする課題】
しかしながら、各机天板を支持する支柱が床面から垂直に立設していると、後の机と椅子の基部（固定部）との隙間が狭くなり、出入りする人の足が前記支柱もしくは椅子の基部に引っ掛かりやすくなり、出入り動作が困難になるという問題があった。
【０００６】
本発明の第１の目的は、前記の問題点を解消して人の出入り動作がし易い、講義室用の机と椅子との組合せの構造を提供することである。本発明の第２の目的は、机の左右の支柱を利用して、コンピュータ等を使用するために、机天板上に配線し易くする構成を提供することである。
【０００７】
【課題を解決するための手段】
前記目的を達成するため、請求項１に記載の発明の講義室用の机と椅子との組合せ構造は、床面に固定した左右一対の支柱上に固定した横長の机天板を、前後に適宜隔てて平行状に配置し、且つ前記前後の机天板の間の空間に配置される椅子は、その脚体が床面に固定されたものであって、前記各支柱は、側面視において、机天板寄り部位で前側となり、床面に行くに従って後側となるように、下向き後傾状に立設され、前記床面に固定される前記各支柱の下端ベース部は、机天板の後端縁から垂下する面よりも前方に配置され、前記各椅子の座体は前記脚体に取付けられた座受けブロック体に対して少なくとも前後移動可能であって、後方向に弾力付勢されており、前記各椅子の座体とその後部の背凭体とは、その前後方向の傾動姿勢を変えることなく、前記座受けブロック体に対して前後移動可能に連結されていることを特徴とするものである。
【０００８】
そして、請求項２に記載の発明は、請求項１に記載の講義室用の机と椅子との組合せ構造において、前記少なくとも一方の支柱の側面には、前記机天板上のコンセント部に接続する配線を案内するための縦長の縦配線ダクトを設け、該縦配線ダクトに対してカバー部を開閉自在に設けたものである。
【０００９】
【発明の実施の形態】
次に本を具体化した実施形態について説明する。図１は講義室用の机１と椅子２の配置を示す一部切欠き側面図、図２は同じく一部切欠き平面図、図３は机の各部品の分解斜視図、図４は椅子の要部側面図、図６は机の要部側断面図である。
【００１０】
図１〜図２に示すように、机１は左右一対の支柱３、３と、該一対の支柱３、３の上端及び一対の支柱３、３の上部間を繋ぐための断面略矩形筒状の横梁４に突設した複数のブラケット５ａ及び支柱３から突出するブラケット５ｂにそれぞれ固定した横長の机天板６とからなり、前記各支柱３の下端のベース体７を床面９にボルト８にて固定する。前記各支柱３は側面視において上端側が机天板６の前縁部寄りに配置され、下に行くに従って後方となるように下向き後傾状に形成されている。そして、椅子２の脚体１０の中心から、机１の支柱３の下端における中心までの前後距離Ｌ４は実施例では略４７４ｍｍ程度である。前後幅寸法４５０ｍｍ程度の複数の机天板６は、前後に所定の間隔Ｌ１（４５０ｍｍ）にて、平行状に配置されるものとし、前記間隔の間の床面９に固定された脚体１０付きの椅子２が３つ〜５つ横方向に一定間隔で配置されている（図２参照）。
【００１１】
図４及び図５を参照して、各椅子２の構成について説明する。脚体１０の下端に溶接等にて固定された水平なベース１１をアンカーボルト１２にて強固に固定する。筒状の脚体１０は床面９に対して略垂直状に立設されており、該脚体１０の上端には平面視略矩形状の座受ブロック体１３が固定されている。該座受ブロック体１３の左右両側には前後長手の支持片１３ａ，１３ａが左右両外向きに突設され、各支持片１３ａに摩擦係数の小さい材料からなる断面コ字状のスライダ部材１４が被嵌されている。他方、座体１５の下面に固定した座受体１６の左右両側には前記スライダ部材１４を案内するための前後長手の断面コ字状のレール部１６ａ，１６ａが形成されており、これにより、座受ブロック体１３に対して座受体１６ひいては座体１６は前後移動可能に構成されている。
【００１２】
また、座受体１６の左右両側部位に基端を固定した側面視略Ｌ字状の背凭支柱１７の上部には背凭体１８を固定してある。そして、前記座受体１６の前端と座受ブロック体１３の後端との間には左右両側に引張りコイルバネ３９、３９が装架されているので、この引張りコイルバネ３９、３９の弾力に抗して、背凭体１８を前方（前側の机天板６における後縁端部６ｂ方向）に押して、背凭体１８と後側の机天板６における前縁端部６ａとの隙間間隔をＬ２（実施例では略３０ｍｍ）からＬ３（実施例では略２００ｍｍ）に大きく広げることができる。なお、前記脚体１０に対して前記座受ブロック体１３を水平回動となるように装着しても良い。このように構成すれば、座体１５に座っている人が立ち上がるに際して、机天板６の後縁部６ｂにから離れるように、座体１５ごと身体を横に回して立ち上がることが容易となる。
【００１３】
次に、図１〜図３、図６及び図７を参照して、机１の構成について説明する。各机１における左右一対の支柱３、３は、金属製の筒状であって、その下端は前記ベース体７に溶接等にて連結固定されている。左右２つ割り状の足カバー１９ａ，１９ｂにて前記ベース体７を着脱自在に覆える構成である。なお、最前列の机１についてのみ、前記左右一対の支柱３、３の前面間に幕板２３をブラケット２４を介して取付けする（図１、図３参照）。
【００１４】
各机天板６の上面前寄り部位には、パーソナルコンピュータ等を使用するための電源線２８やインターネットを利用するときの通信回線等の情報線２９に接続するための複数のコンセント２５を各座席箇所に対応して設置する。そのため、前記コンセント２５を取り付けた情報ボックス２６を机天板６上に固定し、配線孔２７を机天板６に上下に貫通するように穿設する。他方、左右一対の支柱３、３の上端間を繋ぐ横梁４には、左右長手で断面上向きコ字状の横配線ダクト２０をビス止めする一方、該横配線ダクト２０の前方と下面とにわたって覆う左右長手の前カバー２１の上端の係止部を、机天板６の下面に突設した止めボルト２２に対して着脱自在に係止する。前記横配線ダクト２０は前記配線孔２７の下方に位置させる。
【００１５】
ポリプロピレン等の合成樹脂製の押出材からなる縦配線ダクト３０は、図７及び図８に示すように、縦長の基板３０ａと、横断面略半円弧状の縦長のカバー部３０ｂとが、基板３０ａの一側端縁の薄肉の蝶番箇所３１にて連接されており、基板３０ａをビス３６にて前記一対の支柱３、３の内側面に取り付ける。また、前記基板３０ａには互い反対向きに湾曲した縦長の仕切り片３２ａ，３２ｂが一体的に形成されている。図８に示すように、前記基板３０ａにおける蝶番箇所３１と反対側縁に形成された鉤状係合部３３に対して、前記カバー部３０ｂの自由端に設けた係止片３４を外すことにより、縦配線ダクト３０の内部が開放され、前記電源線２８や情報線２９を前記仕切り片３２ａ，３２ｂにて区切られた別々の配線通路に沿って配線することができる。これらの線２８、２９は床面９に開けた孔３５を介して挿通できるものである。なお、机天板６の下面には本等を収納できる棚３７を設けても良い。
【００１６】
【発明の効果】
上記のように、請求項１に記載の発明の講義室用の机と椅子との組合せ構造は、床面に固定した左右一対の支柱上に固定した横長の机天板を、前後に適宜隔てて平行状に配置し、且つ前記前後の机天板の間の空間に配置される椅子は、その脚体が床面に固定されたものであって、前記各支柱は、側面視において、机天板寄り部位で前側となり、床面に行くに従って後側となるように、下向き後傾状に立設されている。
しかも、本発明では、前記各椅子の座体は前記脚体に取付けられた座受けブロック体に対して少なくとも前後移動可能であって、後方向に弾力付勢されており、前記各椅子の座体とその後部の背凭体とは、その前後方向の傾動姿勢を変えることなく、前記座受けブロック体に対して前後移動可能に連結されているので、左右に長い机天板の中央側の椅子に座る人が椅子の後方とその後側の机天板との間の横長の隙間通路を介して外（机天板の側方）に出るときや、逆に前記中央側の椅子に座るべく前記隙間通路を通る際に、背凭体を付勢力に抗して前方に押しやることで当該隙間通路の前後間隔が広げられて人の通行が容易になり迅速な人の出入りが可能になる。また、前記机天板の側端側に配置された支柱の下側の部分が机天板の下方おいて前後方向の後寄りに位置することになるから、前後に並べた机天板の間を通行する人の足元の空間を広くできて、前記隙間通路の下方で人の脚部や足部が前記支柱に衝突したり、つまずく等のおそれがなくなるという効果を奏する。
【００１７】
さらに、前記支柱に近い位置の椅子に座る人の膝頭の部分は、机天板の下方で前方に向くが、座体上で机天板の側方に向きを変えるときに、前記机天板の前縁部寄りに位置する支柱の上部側と前記膝頭とが衝突し難くなり、これによっても人の出入り動作を迅速且つ安全に行うことができるという効果を奏する。
【００１８】
そして、請求項２に記載の発明は、請求項１に記載の講義室用の机と椅子との組合せ構造において、前記少なくとも一方の支柱の側面には、前記机天板上のコンセント部に接続する配線を案内するための縦長の縦配線ダクトを設け、該縦配線ダクトに対してカバー部を開閉自在に設けたものである。
【００１９】
従って、机天板上のコンセント部に接続した配線は、当該机天板下面の横配線ダクト及び支柱の内面の縦配線ダクトを介して床下に挿通できるから、椅子に座る人の邪魔にならないし、前後の机天板の間を横に通行する際にも配線に人の足が絡みつく等の事故も無くなり、且つ配線作業も縦配線ダクトのカバー部を開いて至極容易に行えるという効果を奏する。
【図面の簡単な説明】
【図１】  講義室用の机と椅子の配置を示す側面図である。
【図２】  同じく一部きり欠き平面図である。
【図３】  机の部品の斜視図である。
【図４】  椅子の一部切欠き側面図である。
【図５】  椅子の後部から見た一部切欠き図である。
【図６】  図１のVI−VI線矢視拡大側断面図である。
【図７】  図６のVII −VII 線視拡大側断面図である。
【図８】  縦配線ダクトの横断面図である。
【符号の説明】
１        机
２        椅子
３        支柱
６        机天板
９        床面
１０        脚体
１３        座受ブロック体
１５        座体
１６        座受体
２０        横配線ダクト
２５        コンセント
２６        情報ボックス
２８        電源線
２９        情報線
３０        縦配線ダクト
３０ａ      基板
３０ｂ      カバー部
【図１】
0004319335.tif 000002
【図２】
0004319335.tif 000003
【図３】
0004319335.tif 000004
【図４】
0004319335.tif 000005
【図５】
0004319335.tif 000006
【図６】
0004319335.tif 000007
【図７】
0004319335.tif 000008
【図８】
0004319335.tif 000009